(57)【要約】【課題】  テレビ放送波の混信を防止した「ＦＭ受信機」を提供する。【解決手段】  本発明に係るＦＭ受信機１００は、電圧によって可変される発振周波数ｆ０の信号を出力する可変周波数発振回路１３０と、発振周波数ｆ０を分周し、局部発振信号ｆ１の信号を出力する分周器１４０と、局部発振周波数ｆ１の信号とＦＭ受信周波数ｆRの信号を混合し、中間周波数ｆ２の信号を生成するミキサ１５０と、移動体の位置情報に基づきＦＭ放送波に混信が生じるか否かを判定し、混信が生じると判定したとき、可変周波数発振回路１３０の発振周波数ｆ０、および分周器１４０の分周比を可変し、スーパーヘテロダイン方式を下側から上側に切り替える制御部２００とを有する。【選択図】  図１
2008177737.tif 000002
【特許請求の範囲】
【請求項１】
電圧によって可変される発振周波数の信号を出力する可変周波数発振手段と、
可変周波数発振手段の出力信号を分周し、局部周波数信号を出力する分周手段と、
局部周波数信号とＦＭ放送波の受信信号を混合し、中間周波数の信号を生成する生成手段と、
移動体の現在位置情報に基づき、ＦＭ放送波の受信信号に混信が生じるか否かを判定する判定手段と、
前記判定手段により混信が生じると判定されたとき、前記可変周波数発振手段の電圧を可変し、かつ前記分周手段の分周比を可変する制御手段と、
を有するＦＭ受信機。
【請求項２】
前記判定手段は、ＦＭ放送局の周波数と混信が生じる関係にあるテレビ放送波の関係を地域別に定めた情報を参照し、ＦＭ放送波の受信信号に対応するテレビ放送波を受信可能な地域か否かを判定し、受信可能であるとき、ＦＭ放送波の受信信号に混信が生じると判定する、請求項１に記載のＦＭ受信機。
【請求項３】
前記判定手段は、ＦＭ放送局の周波数と混信が生じる関係にあるテレビ放送波の関係を地域別に定めた情報を記憶するメモリを含む、請求項２に記載のＦＭ受信機。
【請求項４】
前記制御手段は、局部発振周波数がＦＭ放送波の受信信号の周波数よりも小さいとき、局部発振周波数がＦＭ放送波の受信信号の周波数よりも大きくなるように、前記可変周波数発振手段および前記分周手段を制御する、請求項１に記載のＦＭ受信機。
【請求項５】
前記制御手段は、局部発振周波数がＦＭ放送波の受信信号の周波数よりも大きいとき、局部発振周波数がＦＭ放送波の受信信号の周波数よりも小さくなるように、前記可変周波数発振手段および前記分周手段を制御する、請求項１に記載のＦＭ受信機。
【請求項６】
前記制御手段はさらに、ＦＭ放送波を受信する国または地域に応じて、局部発振周波数がＦＭ放送波の受信信号の周波数よりも大きく、またはその周波数よりも小さくなるように、前記可変周波数発振手段および前記分周手段を制御する、請求項１に記載のＦＭ受信機。
【請求項７】
請求項１ないし６いずれか１つに記載のＦＭ受信機を含むナビゲーションシステム。
【請求項８】
請求項１ないし６いずれか１つに記載のＦＭ受信機を含むオーディオシステム。
【請求項９】
電圧によって可変された発振周波数の信号を出力する可変周波数発振回路と、可変周波数発振回路の出力信号を分周し、局部発振周波数信号を出力する分周器と、局部発振周波数信号とＦＭ放送波の受信信号を混合し中間周波数信号を生成する混合回路とを含むＦＭ受信機の受信プログラムであって、
移動体の現在位置情報に基づき、ＦＭ放送波の受信信号に混信が生じるか否かを判定するステップと、
混信が生じると判定されたとき、可変周波数発振回路の電圧を可変し、かつ前記分周器の分周比を可変し、局部発振周波数信号を切り替えるステップと、
を有する受信プログラム。
【請求項１０】
前記判定するステップは、ＦＭ放送局の周波数と混信が生じる関係にあるテレビ放送波の関係を地域別に定めた情報を参照し、ＦＭ放送波の受信信号に対応するテレビ放送波を受信可能な地域か否かを判定するステップと、
前記テレビ放送波が受信可能であるとき、ＦＭ放送波の受信信号に混信が生じると判定するステップと、
を含む請求項９に記載の受信プログラム。
【発明の詳細な説明】
【技術分野】
【０００１】
本発明は、車両等の移動体に搭載可能なＦＭ受信機に関し、特に、日本、欧州、米国等の各国においてＦＭ放送波を受信可能なＦＭ受信機に関する。
【背景技術】
【０００２】
世界各国のＦＭ放送波の周波数帯域は、日本が７６．０〜９０．０ＭＨｚ、欧州、米国が８７．５〜１０８ＭＨｚとなっている。各国のＦＭ放送波を受信するために、各国毎に異なるハードウエアの仕様を持つＦＭ受信機を構成すると、ＦＭ受信機の低コストが図れない。そこで、各国においてハードウエハの仕様を共通化し、各国においてＦＭ放送波を受信することができるＦＭ受信機が開発されている。
【０００３】
このようなＦＭ受信機は、スーパーヘテロダイン方式とＰＬＬ回路を組合せ、電圧制御発振器（ＶＣＯ）の周波数を可変することで、一定の帯域のＦＭ放送波の受信を可能にしている。但し、ＶＣＯの周波数を可変することで、一部の地域において、ＦＭ放送波にテレビジョン放送波が混信し、その結果、ＦＭ放送の出力音声にノイズが生じたり、テレビジョン放送の音声が混在してしまうことがある。
【０００４】
こうした不具合を解消するために、特許文献１は、スーパーヘテロダインに用いられる局部発振周波数信号を、ＦＭ放送波の受信周波数よりも低い周波数またはその受信周波数よりも高い周波数に切り替えることで、テレビジョン放送の干渉を防止している。
【０００５】
【特許文献１】特開２０００−１７４６５２号
【発明の開示】
【発明が解決しようとする課題】
【０００６】
上記したように、各国に共通のハードウエアの仕様を持つＦＭ受信機には、次のような課題がある。図６は、このようなＦＭ受信機の要部を示すブロック図である。ＦＭ受信機は、ＦＭ放送波を受信するアンテナ１０と、アンテナ１０で受信されたＲＦ信号を増幅するＲＦ増幅器１２と、電圧制御発振器（ＶＣＯ）１４と、ＶＣＯ１４から出力された周波数信号を分周する分周器１６と、分周された局部周波数信号とＦＭ放送波の受信信号を混合し、中間周波数信号を生成するミキサ１８とを備えている。
【０００７】
各国または各地域毎に、ＶＣＯ１４の発振周波数を分周して局部発振周波数を作っている。日本のＦＭ放送波は、７６〜９０ＭＨｚの範囲であるため、ＶＣＯ１４の発振周波数は、１９５．９ＭＨｚ〜２３７．９ＭＨｚの範囲で可変され、分周器１６の分周比は、１／３である。欧州/米州のＦＭ放送波は、８７．５〜１０８ＭＨｚの範囲であるため、ＶＣＯ１４は、１９６．４ＭＨｚ〜２３７．６ＭＨｚの範囲で可変され、分周器１６の分周比は、１／２である。
【０００８】
例えば、日本において、８０．７ＭＨｚのＦＭ放送波を受信するとき、ＶＣＯ１４は、２１０ＭＨｚの周波数信号を出力し、分周器１６は、これを１／３で分周され、７０ＭＨｚの局部発振周波数を作る。ミキサ１８は、スーパーヘテロダイン方式により、８０．７ＭＨｚのＦＭ放送波と７０ＭＨｚの局部発振周波数を混合し、１０．７ＭＨｚの中間周波数（ＩＦ）信号を生成する。
【０００９】
ここで、ＶＣＯ１４により出力された周波数信号は、図７（ａ）に示すように正弦波であるが、これが分周器１６によって分周されると、図７（ｂ）に示すように矩形波になる。この矩形波に変換されることで、局部発振周波数の倍数である高調波成分（１４０ＭＨｚ、２１０ＭＨｚ、・・・）が発生してしまう。高調波成分は、偶数次よりも奇数次が大きく、特に、３次高調波成分（２１０ＭＨｚ）が、テレビ放送のＶＨＦの帯域（１９９．２５ＭＨｚ）と干渉し、１０．７ＭＨｚの中間周波数の近傍に妨害信号が生成されてしまう。これにより、ＦＭ放送波の音声出力に、テレビの映像信号がノイズとなって混信したり、テレビの音声が混在してしまうという問題がある。
【００１０】
本発明は、上記のような従来の課題を解決するために成されたものであり、テレビ放送波の混信を未然に防止することができるＦＭ受信機を提供することを目的とする。
さらに本発明は、各国において共通のハードウエアの仕様により、感度良くＦＭ放送波を受信することができるＦＭ受信機を提供することを目的とする。
【課題を解決するための手段】
【００１１】
本発明に係るＦＭ受信機は、電圧によって可変される発振周波数の信号を出力する可変周波数発振手段と、可変周波数発振手段の出力信号を分周し、局部周波数信号を出力する分周手段と、局部周波数信号とＦＭ放送波の受信信号を混合し、中間周波数の信号を生成する生成手段と、移動体の現在位置情報に基づき、ＦＭ放送波の受信信号に混信が生じるか否かを判定する判定手段と、前記判定手段により混信が生じると判定されたとき、前記可変周波数発振手段の電圧を可変し、かつ前記分周手段の分周比を可変する制御手段とを有する。
【００１２】
好ましくは判定手段は、ＦＭ放送局の周波数と混信が生じる関係にあるテレビ放送波の関係を地域別に定めた情報を参照し、ＦＭ放送波の受信信号に対応するテレビ放送波を受信可能な地域か否かを判定し、受信可能であるとき、ＦＭ放送波の受信信号に混信が生じると判定する。さらに判定手段は、ＦＭ放送局の周波数と混信が生じる関係にあるテレビ放送波の関係を地域別に定めた情報を記憶するメモリを含むことができる。
【００１３】
好ましくは制御手段は、局部発振周波数がＦＭ放送波の受信信号の周波数よりも小さいとき、局部発振周波数がＦＭ放送波の受信信号の周波数よりも大きくなるように、前記可変周波数発振手段および前記分周手段を制御する。あるいは、その反対にであってもよい。
【００１４】
さらに本発明は、電圧によって可変された発振周波数の信号を出力する可変周波数発振回路と、可変周波数発振回路の出力信号を分周し、局部発振周波数信号を出力する分周器と、局部発振周波数信号とＦＭ放送波の受信信号を混合し中間周波数信号を生成する混合回路とを含むＦＭ受信機の受信プログラムであって、移動体の現在位置情報に基づき、ＦＭ放送波の受信信号に混信が生じるか否かを判定するステップと、混信が生じると判定されたとき、可変周波数発振回路の電圧を可変し、かつ前記分周器の分周比を可変し、局部発振周波数信号を切り替えるステップとを有する。
【発明の効果】
【００１５】
本発明によれば、移動体の現在位置情報に基づき、ＦＭ放送波の受信信号に混信が生じるか否かを判定する判定し、混信が生じると判定されたとき、可変周波数発振手段の電圧を可変し、かつ分周手段の分周比を可変するようにしたので、ＦＭ放送波に他の信号（テレビ放送波）が混信することを防止することができ、ＦＭ放送波の音声出力の感度を高めることができる。
【発明を実施するための最良の形態】
【００１６】
本発明の最良の実施の形態について図面を参照して詳細に説明する。
【実施例】
【００１７】
本実施例に係るＦＭ受信機は、好ましくは車両等の移動体に搭載されるものであり、各国において共通のハードウエア仕様でＦＭ放送波を受信することができる。図１は、本発明の実施例に係るＦＭ受信機の構成を示すブロック図である。同図に示すように、ＦＭ受信機１００は、ＦＭ放送波を受信するアンテナ１１０と、アンテナ１１０で受信されたＦＭ放送波の受信信号を増幅するＲＦ増幅器１２０と、電圧制御発振器（ＶＣＯ）を含み直流電圧に応じて可変された発振周波数ｆ０の信号を出力する可変周波数発振回路１３０と、可変周波数発振回路１３０からの発振周波数ｆ０の信号を分周し、局部発振周波数ｆ１の信号を出力する分周器１４０と、局部発振周波数ｆ１とＦＭ受信周波数ｆＲの各々の出力信号を混合し、中間周波数ｆ２の信号を生成するミキサ１５０と、中間周波数ｆ２の信号からＦＭ放送波を抽出するＦＭ検波回路１６０と、外部装置または外部回路とデータの送受を行うインターフェース回路１７０と、ユーザからの指示を入力する入力部１８０と、後述するＦＭ混信周波数リスト等のデータやプログラムを格納するメモリ１９０と、各部を制御する制御部２００とを備えている。
【００１８】
ＦＭ受信機１００において、アンテナ１１０で受信されたＦＭ放送波は、ＲＦ増幅器１２０により増幅され、ＦＭ受信周波数ｆＲの信号としてミキサ１５０に入力される。一方、入力部１８０を介してユーザが受信しようとするＦＭ放送局を選択すると、制御部２００は、可変周波数発振回路１３０に対して制御電圧Ｖｃを出力し、可変周波数発振回路１３０に所定の発振周波数ｆ０の信号を出力させる。さらに、制御部２００は、分周器１４０に対して分周比Ｎを決定するための制御信号Ｖｎを出力し、分周器１４０に局部発振周波数ｆ１の信号を出力させる。ミキサ１５０は、スーパーヘテロダイン方式により局部発振周波数ｆ１とＦＭ受信周波数ｆＲの差分である中間周波数ｆ２の信号を出力し、ＦＭ検波回路１６０が、中間周波数信号から受信局のＦＭ放送波を検波し、ＦＭ放送波の音声出力が行われる。
【００１９】
ＦＭ受信機１００は、日本、欧州、米国等の各国のＦＭ放送を受信するため、可変周波数発振回路１３０の発振周波数ｆ０、および分周器１４０の分周比を可変する。日本のＦＭ放送波は、７６〜９０ＭＨｚの範囲であり、発振周波数ｆ０は、１９５．９ＭＨｚ〜２３７．９ＭＨｚの範囲で可変され、分周器１４０は、発振周波数ｆ０を１／３に分周した局部発振周波数ｆ１を作り出す。また、欧州/米州のＦＭ放送波は、８７．５〜１０８ＭＨｚの範囲であり、発振周波数ｆ０は、１９６．４ＭＨｚ〜２３７．６ＭＨｚの範囲で可変され、分周器１４０は、発振周波数ｆ０を１／２に分周した局部発振周波数ｆ１を作り出す。
【００２０】
さらにＦＭ受信機１００は、従来技術の課題である分周器１４０の高調波成分とテレビ放送波の干渉を防ぐため、ＦＭ放送波への混信が生じると判定したとき、ミキサ１５０におけるスーパーヘテロダイン方式を、下側スーパーヘテロダイン方式から上側スーパーヘテロダイン方式に、あるいはその反対に切り替えることができる。下側スーパーヘテロダイン方式とは、ＦＭ受信周波数ｆＲよりも周波数が低い局部発振周波数ｆ１を用いて中間周波数ｆ２を生成することであり、これに対して、上側スーパーへテロダイン方式とは、ＦＭ受信周波数ｆＲよりも周波数が高い局部発振周波数ｆ１を用いて中間周波数ｆ２を生成することである。
【００２１】
日本においてＦＭ放送波を受信するとき、制御部２００は、通常、下側スーパーヘテロダイン方式を用いるが、上記したように、テレビ放送波の混信が生じると判定したとき、下側スーパーヘテロダイン方式から上側スーパーヘテロダイン方式に切り替える。
【００２２】
例えば、日本において、８０．７ＭＨｚのＦＭ放送波を受信するとき、アンテナ１１０、増幅器１２０を介して得られたＦＭ放送波の受信周波数ｆＲの信号がミキサ１５０に入力される。制御部２００は、可変周波数発振回路１３０に２１０ＭＨｚの発振周波数ｆ０の信号を出力させ、分周器１４０に発振周波数ｆ０を１／３で分周させる。これにより、７０ＭＨｚの局部発振周波数ｆ１の信号がミキサ１５０に入力される。ミキサ１５０は、受信周波数ｆＲと局部発振周波数ｆ１から１０．７ＭＨｚの中間周波数ｆ２の信号を生成する。
【００２３】
一方、ＦＭ受信機の位置により、アンテナ１１０から１９９．２５ＭＨｚのテレビ放送波が受信されると、テレビ受信周波数ｆTVと局部発振周波数ｆ１の３次高調波成分（２１０ＭＨｚ）とから１０．７ＭＨｚの中間周波数ｆ2-TVの信号が生成されてしまう。制御部２００は、中間周波数ｆ2-TVの信号の生成を防止するため、可変周波数発振回路１３０から１８２．８ＭＨｚの発振周波数ｆ０の信号を出力させ、分周器１４０に発振周波数ｆ０を１／２で分周させ、これにより、９１．４ＭＨｚの局部発振周波数ｆ１の信号が生成される。ミキサ１５０は、８０．７ＭＨｚの受信周波数ｆＲと９１．４ＭＨｚの局部発振周波数ｆ１
の上側スーパーヘテロダイン方式により、１０．７ＭＨｚの中間周波数ｆ２の信号を生成する。一方、分周器１４０の高調波成分は、１８２．８ＭＨｚ、２７４．２ＭＨｚ、・・・となり、高調波成分と１９９．２５ＭＨｚのテレビ受信周波数ｆTVとの混合によって、１０．７ＭＨｚの中間周波数ｆ２に干渉する信号は生成されない。
【００２４】
上記のように、ＦＭ放送波に混信が生じる構造的な不具合は、ＦＭ受信周波数ｆＲとテレビ受信周波数ｆTVの関係が、以下の式（１）のときに発生する。但し、これは日本における関係式である。
【００２５】
【数１】
2008177737.tif 000003
【００２６】
ＦＭ放送波とテレビ放送波との干渉は、上記関係式により一義的に特定されるため、この関係式を満足するときに、スーパーヘテロダイン方式を切り替える。すなわち、下側スーパーヘテロダイン方式では、局部発振周波数ｆ１が７０．０ＭＨｚであり、これが上側スーパーヘテロダイン方式に切り替えられると、局部発振周波数ｆ１が９１．４ＭＨｚに変更される。この時、ＦＭ受信周波数ｆＲとテレビ受信周波数ｆTVの関係は、以下の式（２）のようになる。
【００２７】
【数２】
2008177737.tif 000004
【００２８】
ＦＭ放送波とテレビ放送波の関係を、式（１）から式（２）に切り替えることで、構造的に混信の対象となるテレビ放送波を除外することができる。
【００２９】
次に、ＦＭ放送波への混信の有無を判定する方法について説明する。上記式（１）の関係を満足するとき、ＦＭ放送波にテレビ放送波が混信する。このため、本実施例では、式（１）の関係を満足するＦＭ混信周波数リストを予め用意し、これをメモリ１９０に格納しておく。図２は、ＦＭ混信周波数リストの一例を示すテーブルである。テーブルには、ＦＭ受信周波数（ＲＦ）ｆＲ、中間周波数（ＩＦ）ｆ２、発振周波数（ＶＣＯ）ｆ０、発振周波数（ＶＣＯ）ｆ０−中間周波数（ＩＦ）ｆ２、テレビ放送チャンネル（ＴＶｃｈ）、映像搬送波の周波数、音声搬送波の周波数、全国の地域（北海道、東北、関東、信越、北陸、東海、近畿、中国、四国、九州、沖縄）の項目が含まれている。
【００３０】
テーブルにおいて、式（１）の関係が満足される場合とは、発振周波数ｆ０−中間周波数ｆ２の値が、映像搬送波または音声搬送波のいずれかに近似されるときである。例えば、ＦＭ受信周波数ｆＲが７６．９ＭＨｚであるとき、
ｆ０−２が１８７．９ＭＨｚであり、これは、６チャンネルテレビの音声搬送波１８７．７５ＭＨｚと混信する。但し、この関係が満足されるのは、東北地方の鶴岡および盛岡である。また、ＦＭ受信周波数ｆＲが８０．２ＭＨｚであるとき、８チャンネルの音声搬送波（１９７．７５ＭＨｚ）と混信するが、その地域は、近畿地方の大阪である。図に示す映像搬送波および音声搬送波のうち、混信する方を太枠で示している。このように、テーブルを参照することで、ＦＭ受信周波数と混信するテレビ放送波のチャンネルおよび地域の関係を判別することができる。
【００３１】
次に、図２に示すＦＭ混信周波数リストを用いたＦＭ受信機の受信動作について図３のフローチャートを参照して説明する。なお、ＦＭ放送波の受信は、日本国内におけるものとし、通常は下側スーパーヘテロダイン方式が用いられているものとする。
【００３２】
ＦＭ受信機においてＦＭ放送波の受信が開始されると（ステップＳ１０１）、制御部２００は、インターフェース回路１７０を介して、移動体の現在位置情報を取得する（ステップＳ１０２）。現在位置情報は、移動体が現在位置する都道府県等の地域と特定するのに必要な情報を含み、例えば、ナビゲーション装置やＧＰＳ装置から取得することができる。
【００３３】
次に、制御部２００は、メモリ１９０に格納されているＦＭ混信周波数リストを参照し（ステップＳ１０３）、受信しているＦＭ放送局を検索し（ステップＳ１０４）、検索されたＦＭ放送局と一義的な関係にあるテレビ放送波を受信可能な地域に存在しているか否かを判定する（ステップＳ１０５）。例えば、受信している放送波が、７６．９ＭＨｚであるとき、移動体の現在位置が鶴岡または盛岡地方であれば、６チャンネルのテレビ放送波を受信可能であると判定する。
【００３４】
受信可能な位置に存在していなければ、テレビ放送波が混信しないと判定し（ステップＳ１０６）、そのまま下側スーパーヘテロダイン方式によりＦＭ放送波の受信が行われる。一方、対象となるテレビ放送波を受信可能な地域に存在するとき、制御部２００は、テレビ放送波が混信すると判定し（ステップＳ１０７）、可変周波数発振回路１３０および分周器１４０を制御して、下側スーパーヘテロダイン方式から上側スーパーヘテロダイン方式に切り替える（ステップＳ１０８）。これにより、テレビ放送波の混信が防止され、感度良くＦＭ放送波の音声出力を得ることができる。
【００３５】
上記の受信動作は、ＦＭ受信機が動作中に繰り返し定期的に行うことができ、ユーザがＦＭ放送局を選択したとき、あるいは移動体の現在位置が都道府県等の境界を越えたときに行うようにしてもよい。また、このような受信動作の制御は、好ましくはソフトウエアによって実現される
【００３６】
次に、本実施例に係るＦＭ受信機を備えたナビゲーションシステムの構成例を図４に示す。ナビゲーションシステム２００は、上記したＦＭ受信機１００と、位置検出装置を含み、移動体を目的地まで案内する機能を備えたナビゲーション装置２１０、ディスプレイやスピーカから映像や音声を出力する出力インターフェース２２０、システムの各部を制御するシステム制御部２３０、および各部を接続する内部バス２４０を含んで構成される。
【００３７】
ＦＭ受信機１００は、ナビゲーション装置２１０が検出した移動体の現在位置情報を内部バス２４０を介して受取り、上記したＦＭ混信周波数リストを参照してテレビ放送波が混信するか否かを判定することができる。また、ＦＭ混信周波数リストは、ＦＭ受信機のメモリに記憶する以外にも、ナビゲーション装置が保有するメモリに記憶し、それを参照するようにしてもよい。
【００３８】
次に、本実施例に係るＦＭ受信機を備えた車載用オーディオ・ビデオ・ナビゲーションシステムの構成例を図５に示す。システム３００は、図５に示すように、ＦＭ受信機１００、ナビゲーション装置２００、ＣＤ、ＤＶＤ、半導体メモリ、ハードディスク等の記録媒体に記録されたオーディオデータを再生するオーディオ装置３１０、同様にビデオデータを再生するビデオ装置３２０、ディスプレイやスピーカから映像や音声を出力する出力インターフェース３３０、システムの各部を制御するシステム制御部３４０、および各部を接続する内部バス３５を含んで構成される。
【００３９】
以上、本発明の好ましい実施の形態について詳述したが、本発明に係る特定の実施形態に限定されるものではなく、特許請求の範囲に記載された本発明の要旨の範囲内において、種々の変形・変更が可能である。
【産業上の利用可能性】
【００４０】
本発明に係るＦＭ受信機は、車両等の移動体に搭載されるナビゲーション装システム、ナビゲーション機能を包含するオーディオ・ビデオ・ナビゲーションシステム等のモバイルシステムにおいて利用される。
【図面の簡単な説明】
【００４１】
【図１】本発明の実施例に係るＦＭ受信機の構成を示すブロック図である。
【図２】メモリに記憶された地域別のＦＭ放送波の周波数とテレビ放送波の周波数との関係を記憶するテーブルである。
【図３】本実施例に係るＦＭ受信機の動作を説明するフローチャートである。
【図４】本実施例のＦＭ受信機を含むナビゲーションシステムを示す図である。
【図５】本実施例のＦＭ受信機を含むオーディオ・ビデオナビゲーションシステムを示す図である。
【図６】従来のＦＭ受信機の要部構成を示すブロック図である。
【図７】図７（ａ）は、ＶＣＯの出力周波数の波形、図７（ｂ）は分周器の出力周波数の波形を示す図である。
【符号の説明】
【００４２】
１００：ＦＭ受信機
１１０：アンテナ
１２０：ＲＦ増幅器
１３０：可変周波数発振回路部
１４０：分周器
１５０：ミキサ
１６０：ＦＭ検波回路
１７０：インターフェース
１８０：入力部
１９０：メモリ
２００：制御部
【図１】
2008177737.tif 000005
【図２】
2008177737.tif 000006
【図３】
2008177737.tif 000007
【図４】
2008177737.tif 000008
【図５】
2008177737.tif 000009
【図６】
2008177737.tif 000010
【図７】
2008177737.tif 000011